(57)【要約】【課題】携帯端末装置に装着される付属装置において、異なる機能ユニットを選択的に収容可能な付属装置。【解決手段】携帯端末装置１０に装着され、携帯端末装置１０が収容される携帯端末収容部２０２と、異なる機能、例えばスキャナ機能やポインタ機能を有する複数の機能ユニットから選択される一つの機能ユニット３０を収容可能なユニット収容部２０３と、複数の機能ユニット間で共通化された固定構造と、を備える付属装置２００を提供する。【選択図】図１
2014044544.tif 000002
【特許請求の範囲】
【請求項１】
携帯端末装置に装着され、
前記携帯端末装置が収容される携帯端末収容部と、
異なる機能を有する複数の機能ユニットから選択される一つの機能ユニットを収容可能なユニット収容部と、
前記複数の機能ユニット間で共通化された固定構造と、を備えることを特徴とする付属装置。
【請求項２】
前記付属装置には、前記機能ユニットに貼り付けられた所定のラベルを外部から目視可能とするラベル目視用開口部が設けられていることを特徴とする請求項１に記載の付属装置。
【請求項３】
前記機能ユニットがレーザー光を出射する機能を有するものであり、
前記ラベル目視用開口部は、前記レーザー光が出射される面とは異なる面に形成されていることを特徴とする請求項２に記載の付属装置。
【請求項４】
前記機能ユニットは、レーザースキャナ又はレーザーポインタであり、
前記付属装置は、前記ユニット収容部に前記レーザースキャナと前記レーザーポインタのうちいずれか一方を収納することを特徴とする請求項１から請求項３のいずれか一項に記載の付属装置。
【請求項５】
前記レーザースキャナとレーザーポインタのうち少なくとも一方は防水構造を備えていることを特徴とする請求項４に記載の付属装置。
【請求項６】
前記機能ユニットに取り付けられたストラップを挿通させるストラップ用開口部を有することを特徴とする請求項１から請求項５のいずれか一項に記載の付属装置。
【発明の詳細な説明】
【技術分野】
【０００１】
本発明は、携帯端末装置に装着される付属装置に係り、より詳しくは、携帯端末装置に所定の機能を有する機能ユニットを取り付けるための付属装置に関する。
【背景技術】
【０００２】
携帯端末装置に特定の機能を追加するための付属装置が知られている。例えば、特許文献１には、携帯端末装置に着脱可能なフタの内側に、メモリーカードアダプタなどの付加機能部品を取り付けた付属装置が記載されている。
また、特許文献２には、携帯端末装置に対して取り外し可能なカバーであって、データ記憶装置が設けられ、カバーを携帯端末装置に取り付けることによって、携帯端末装置とデータ記憶装置とが通信可能となるカバーが記載されている。
【先行技術文献】
【特許文献】
【０００３】
【特許文献１】特開２００４−２６６４０７号公報
【特許文献２】特表２００４−５３０３８０号公報
【発明の概要】
【発明が解決しようとする課題】
【０００４】
ところで、特許文献１及び特許文献２に記載の付属装置では、必要とされる機能毎に別々の付属装置が用意されており、必要とされる機能ユニットをそれぞれ揃えた場合、コスト増大に繋がるという問題がある。
【０００５】
本発明は、前述した課題を解決するためになされたものであり、その目的は、共通の付属装置で異なる機能ユニットを選択的に収容可能な付属装置を提供することにある。
【課題を解決するための手段】
【０００６】
本発明に係る付属装置は、携帯端末装置に装着され、携帯端末装置が収容される携帯端末収容部と、異なる機能を有する複数の機能ユニットから選択される一つの機能ユニットを収容可能なユニット収容部と、複数の機能ユニット間で共通化された固定構造と、を備えることを特徴とする。
【発明の効果】
【０００７】
本発明に係る付属装置によれば、付属装置が複数の機能ユニット間で共通化された固定構造を有することによって、共通の付属装置のユニット収容部に、異なる機能を有する複数の機能ユニットから選択される一つの機能ユニットを収容可能となる。
【図面の簡単な説明】
【０００８】
【図１】本発明の第一実施形態に係る携帯端末装置とレーザースキャナユニットとジャケットとを示す斜視図である。
【図２】レーザースキャナユニットの６面図で、（ａ）上側面、（ｂ）左側面、（ｃ）上面、（ｄ）右側面、（ｅ）底面、（ｆ）下側面を示す。
【図３】レーザースキャナユニットの底面拡大図である。
【図４】レーザースキャナユニット収容状態のジャケットの６面図で、（ａ）上側面、（ｂ）左側面、（ｃ）上面、（ｄ）右側面、（ｅ）底面、（ｆ）下側面を示す。
【図５】レーザースキャナユニット収容状態のジャケットの底面拡大図である。
【図６】レーザーポインタユニットの６面図で、（ａ）上側面、（ｂ）左側面、（ｃ）上面、（ｄ）右側面、（ｅ）底面、（ｆ）下側面を示す。
【図７】レーザーポインタユニットの底面拡大図である。
【図８】本発明の第二実施形態に係る第二携帯端末装置とレーザースキャナユニットと第二ジャケットとを示す斜視図である。
【図９】レーザースキャナユニット収容状態の第二ジャケットの６面図で、（ａ）上側面、（ｂ）左側面、（ｃ）上面、（ｄ）右側面、（ｅ）底面、（ｆ）下側面を示す。
【図１０】レーザースキャナユニット収容状態の第二ジャケットの底面拡大図である。
【図１１】レーザーポインタユニット収容状態の第二ジャケットの底面拡大図である。
【発明を実施するための形態】
【０００９】
以下、本発明に係る複数の実施形態の付属装置について図面を参照して説明する。
（第一実施形態）
図１は、本発明の第一実施形態に係る携帯端末装置１０と、機能ユニット３０とジャケット２００とを示す斜視図である。
本実施形態のジャケット２００は、その外殻２０１に機能ユニット３０を格納した状態で携帯端末装置１０に装着して用いるものである。図１においては、機能ユニット３０として、レーザースキャナユニット５００を示しているが、ジャケット２００には、後述するレーザーポインタユニット６００（図６，７参照）なども選択的に収容可能である。
【００１０】
携帯端末装置１０は、複数の回路を構成する機能部品を収容した本体部１１と、本体部１１の前面に配置されたＬＣＤ１２（Liquid Crystal Display、タッチパネル一体型）及び操作部１３と、本体部１１の後面に配置されたカメラ（図示せず）と、とを有している。
【００１１】
ジャケット２００は、外殻２０１と複数のボタン２１１ａ，２１１ｂとから構成されている。外殻２０１は、携帯端末装置１０を収容、保持する携帯端末収容部２０２と、レーザースキャナユニット５００やレーザーポインタユニット６００等の機能ユニット３０を収容、保持するユニット収容部２０３と、を備えている。ジャケット２００は、外殻２０１に設けられた係止構造２０４にて、携帯端末装置１０を脱着容易に保持する構造となっている。係止構造２０４は、外殻２０１の携帯端末収容部２０２の開放端周囲に設けられており、携帯端末装置１０の外周部とスナップ係合する形状に形成されている。なお、係止構造２０４は一例であって、携帯端末装置１０を携帯端末収容部２０２へスライド装着するような形状であってもよい。
【００１２】
また携帯端末収容部２０２には、携帯端末装置１０を使う際の操作部１３、通知部、カメラなどの部分をジャケット２００の外側に露出させるための開口部が設けられている。具体的には携帯端末装置１０に備えられたカメラに対応する位置にカメラ用開口２０５が設けられている。
【００１３】
ユニット収容部２０３は、ジャケット２００を携帯端末装置１０に装着した際に、携帯端末装置１０の後面とジャケットの外殻との間に設けられる空間である。即ち、携帯端末収容部２０２の底面に面する側に設けられている。
【００１４】
ユニット収容部２０３にはレーザースキャナユニット５００を使う際の操作部、通知部、機能に関する部分をジャケット２００の外側に露出させるための開口部が設けられている。ユニット収容部２０３には、レーザースキャナユニット５００に関する開口部として、ユニット収容部２０３の側面にレーザースキャナ用開口２０６と、底面にレーザーポインタ用開口２０７が設けられている。即ち、レーザースキャナ用開口２０６とレーザーポインタ用開口２０７とは異なる面に形成されている。
【００１５】
また、ユニット収容部２０３には、ストラップケーブルを装着するためのストラップケーブル用開口２０８ａ、２０８ｂが設けられている。これら開口部については後に詳細を説明する。
【００１６】
レーザースキャナユニット５００は、バーコード等を読み取るレーザースキャナ機能を一体化したユニットである。レーザースキャナユニット５００は、レーザースキャナモジュール、設定や状態を通知する通知部としてのブザー、省電力状態から復帰し稼働状態への切り換えやレーザースキャナ読み取り開始操作などの操作を担う操作部、電力を供給する充電池、充電端子、携帯端末との通信を担う通信部としてのBluetooth（登録商標）、これらを制御するための制御部とを備えている。
【００１７】
図２に示すように、レーザースキャナユニット５００は上下筐体によってユニットとしての形状を成している。また上下筐体の合わせ面からの水の浸入を防ぐための防水部材としてのパッキングを挟みネジ５１０の６箇所で固定、防水構造としている。そのユニットには以下のものが外部に露出している。
【００１８】
レーザー光出射部５０１は、レーザー光が出射、走査し、バーコード等の読み取り対象から反射された光を読み取り情報を取得する部位である。レーザー光出射部５０１の一側（図２（ａ）の右側）にはレーザー光がここから出射することを示す▽形状のアイコンが表示されている。レーザー光は図２の（ｂ）、（ｃ）、（ｄ）に示した点線矢印で示す方向へと出射、走査される。なお、レーザー光の出射、走査方向は一例で、レーザー光出射部５０１の面の法線方向に限らず使いやすい方向へ出射、走査してよい。
【００１９】
また、レーザースキャナユニットには、充電するための充電端子５０２、鳴動し通知するブザー５０３、Bluetoothペアリング設定や省電力復帰用のスイッチ５０４、レーザースキャナで読み取り開始時に押下する左トリガースイッチ５０７ａ、右トリガースイッチ５０７ｂが設けられている。これらのスイッチは、ジャケット２００に設けられ、外部へ突出させて操作しやすくするためのボタン２１１ａ，２１１ｂと接続されている。
【００２０】
また、レーザースキャナユニット５００には、ジャケット２００との固定構造としてのジャケット２００のユニット収容部側面に設けられた突起（図示せず）と係合する係止溝５０６と、２箇所のネジ穴５０５が設けられている。レーザースキャナユニット５００をユニット収容部２０３へ収容する際は、突起を係止溝５０６に嵌め合わせネジ穴５０５からジャケット側をネジ止め固定する。
【００２１】
また、レーザースキャナユニット５００は、ストラップケーブルを固定する左ストラップホール５０８ａ、右ストラップホール５０８ｂ、注意／警告を表示するラベル５０９、銘板を貼り付け可能な銘板貼付位置５１２を備えている。ラベル５０９については次の図３で詳細を説明する。
【００２２】
図３はレーザースキャナユニット５００の底面拡大図である。図３は、図２で示したものと同じもので、その位置を明確に示している。
レーザー光出射部５０１、ラベル５０９が貼り付けられている筐体部分はジャケット２００に設けた開口部に収まるように凸形状となっている。
ラベル５０９にはクラス１レーザー製品である旨の表示や覗き込まないようにとの注意／警告が記載されている。また、ラベル５０９は、目立つように背景色が黄系統のラベルとされている。また製造ラベル５１３にも同様の表記があるが、他にも製造メーカー名や各種規格表示がされている。ラベル５０９と製造ラベル５１３は兼用してもよい。
【００２３】
また左ストラップホール５０８ａ、右ストラップホール５０８ｂは、ジャケット２００のストラップケーブル用開口２０８ａ，２０８ｂに対応する位置にある。またストラップケーブルを通す二つの開口は上筐体が延伸して構成している側壁面に形成されている。レーザースキャナユニット５００の上下筐体を固定するネジ５１０の中間に位置していることもありストラップケーブル引き抜き強度を考慮してこのように構成しているが、単に上下筐体の合わせ面に形成する構成としてもよい。
【００２４】
次に、レーザースキャナユニット５００をジャケット２００の外殻に収容した状態について、図４の６面図、及び図５を用いて説明する。
図４及び図５に示すように、レーザースキャナ用開口２０６からはレーザー光出射部５０１が露出され、レーザーポインタ用開口２０７からはラベル５０９が露出されている。
換言すれば、レーザースキャナユニット５００をジャケット２００に収容した場合は、レーザースキャナ用開口２０６からレーザー光が出射され、レーザーポインタ用開口２０７が、ラベル５０９を外部から目視可能とするラベル目視用開口部として機能する。
【００２５】
また充電端子５０２、スイッチ５０４もジャケットの開口から露出されている。またブザー音孔２０９が３つ設けられ、ブザー５０３からの音を外部へと伝えるように構成されている。左トリガーボタン２１１ａ、右トリガーボタン２１１ｂはジャケット２００の筐体面から突出するように設けられ、左トリガースイッチ５０７ａ、右トリガースイッチ５０７ｂと接続されている。
【００２６】
またストラップケーブル用開口２０８ａ，２０８ｂの内面に左ストラップホール５０８ａ、右ストラップホール５０８ｂが設けられている。ストラップケーブル用開口２０８ａ，２０８ｂは単独でストラップホールの機能を有するように開口が二つあるが、レーザースキャナユニット５００のようにストラップホールを設けたユニットの場合のみは一つの開口だけでもよい。
【００２７】
上述したように、ジャケット２００には、レーザースキャナユニット５００と同様にレーザーポインタユニット６００も収容可能である。以下、図６及び図７を用いてレーザーポインタユニット６００の説明をする。
レーザーポインタユニット６００はレーザースキャナユニット５００とは異なる方向へレーザー光を出射するユニットである。レーザー光出射部６０１は図６の（ｂ）、（ｄ）、（ｆ）の点線矢印で示した方向へポインタとしてのレーザー光を出射する。
また、ラベル６０９にはレーザーポインタユニット６００を取り扱う上での注意／警告を表示している。
また、レーザーポインタユニット６００には、レーザースキャナユニット５００と位置互換の係止溝６０６とネジ穴６０５とが設けられている。
【００２８】
図２と図６を比較してもわかるように、レーザーポインタユニット６００のラベル６０９の位置は、レーザースキャナユニット５００のレーザー光出射部５０１の位置に対応している。一方、レーザーポインタユニット６００のレーザー光出射部６０１の位置は、レーザースキャナユニット５００のラベル５０９の位置に対応している。即ち、上述したように、レーザーポインタユニット６００は、レーザースキャナユニット５００とは、異なる方向にレーザー光を出射する。
そして、レーザーポインタユニット６００をジャケット２００に収容すると、レーザースキャナ用開口２０６からラベル６０９が露出し、レーザーポインタ用開口２０７からレーザー光出射部６０１が露出する。
【００２９】
次に、本実施形態のジャケット２００の作用について、レーザースキャナユニット５００と携帯端末装置１０との組合せを例に説明する。
まず、ジャケット２００に機能ユニット３０としてレーザースキャナユニット５００を収容する。この際、ジャケット２００のユニット収容部２０３の側面に設けられた突起（図示せず）をレーザースキャナユニット５００の係止溝５０６に嵌め合わせ、ネジ穴５０５からジャケット２００側をネジ止め固定する。次いで、ジャケット２００の係止構造２０４を用いて携帯端末装置１０をジャケット２００にスナップ係合させることによって、携帯端末装置１０をジャケット２００に装着する。
【００３０】
そして、レーザースキャナユニット５００とレーザーポインタユニット６００とは固定構造、即ち、ネジ穴５０５とネジ穴６０５、及び係止溝５０６と係止溝６０６が共通化されており、機能ユニット３０として、レーザースキャナユニット５００の他に、レーザーポインタユニット６００を収容することも可能である。
【００３１】
上記実施形態によれば、レーザースキャナユニット５００と、レーザーポインタユニット６００とを固定構造互換とすることでジャケットの外殻の部品共通化ができ、厚みの少ないジャケットとすることができる。
さらに、レーザースキャナユニット５００と、レーザーポインタユニット６００とでレーザー光の出射方向を異なるようにし、レーザー光の出射する面とは異なる面に警告ラベルを貼ることで安全に警告ラベルの文字を読むことができる。
【００３２】
また、レーザースキャナユニット５００と、レーザーポインタユニット６００とが防水構造を有しているため、ジャケット２００をより簡素な構造とすることができる。
また、ジャケット２００に注意／警告ラベルを貼り付けることなく、機能ユニット３０に貼り付けられたラベルがジャケット２００の開口より露出する構造としたため、誤ったラベルが貼られるといった不具合を防止することができ、管理コストを低減することができる。
【００３３】
また、レーザースキャナユニット５００とレーザーポインタユニット６００とにストラップホールを備えたことで、異なる重量のユニットを想定した共通的なストラップホールをジャケット側に設けずに済む。これにより、より薄い筐体のジャケット２００を作ることができる。また、落下などの際の衝撃で機能ユニット３０が脱落するような場合でもジャケット側のストラップホールを介してストラップケーブルが装着されているのでジャケット２００と機能ユニット３０が散らばることがない。
【００３４】
（第二実施形態）
図８は、本発明の第二実施形態に係る第二携帯端末装置２０と機能ユニット３０と第二ジャケット４００とを示す斜視図である。
【００３５】
第一実施形態の携帯端末装置１０と第二実施形態の第二携帯端末装置２０との外形が異なるため、第二ジャケット４００は、それに応じた外殻４０１の形状と、携帯端末収容部４０２とを備え、携帯端末収容部４０２の形状に合わせてその底面にユニット収容部４０３を設けている。
そして、外殻４０１の形状を第二携帯端末装置２０に合わせたこと以外はジャケット２００と第二ジャケット４００とは同様の機能を有している。
【００３６】
図８、図９、及び図１０のレーザースキャナユニット５００は同一機能、同一形状のもので、ジャケット２００，４００のユニット収容部２０３，４０３に収容、固定することでジャケット２００，４００にレーザースキャナ機能を付与することができる。そして、読み取ったデータを通信部を介して第二携帯端末装置２０へと送信することができる。
【００３７】
図９はレーザースキャナユニット５００を第二ジャケット４００に収容した６面図である。
図４に示したジャケット２００の場合と同様に、第二ジャケット４００に設けた開口からレーザー光出射部５０１やラベル５０９等が同様に露出している。図１０はその詳細である。
第二ジャケット４００にはジャケット２００と同様にユニット収容部４０３に突起（図示せず）が形成されており、係止溝５０６と、ネジ穴５０５による固定構造に互換性がある。
【００３８】
次に、図１１を用いてレーザーポインタユニット６００を第二ジャケット４００に収納した場合の説明をする。
第二ジャケット４００のレーザースキャナ用開口４０６からはラベル６０９が、レーザーポインタ用開口４０７からはレーザー光出射部６０１が露出している。またレーザースキャナユニット５００装着時に必要だったスイッチ５０４、ブザー５０３のための開口はフタ４１５を貼って塞いでいる。
【００３９】
第二実施形態に係る第二ジャケット４００によれば、レーザースキャナユニット５００と、レーザーポインタユニット６００とを固定構造互換とすることでジャケットの外殻の部品共通化ができ、厚みの少ないジャケットとすることができる。
さらに、レーザースキャナユニット５００と、レーザーポインタユニット６００とでレーザー光の出射方向を異なるようにし、レーザー光の出射する面とは異なる面に警告ラベルを貼ることで安全に警告ラベルの文字を読むことができる。
【００４０】
なお、本発明の技術範囲は上記の実施形態に限定されるものではなく、本発明の趣旨を逸脱しない範囲において、種々の変更を加えることが可能である。
例えば、以上で説明した各実施形態では、ジャケット２００，４００のレーザースキャナ用開口２０６，４０６とレーザーポインタ用開口２０７，４０７とを設け、レーザースキャナ用開口２０６，４０６付近にレーザーポインタユニット６００のラベル６０９を配置して外部から目視可能とし、逆にレーザーポインタ用開口２０７，４０７付近にレーザースキャナユニット５００のラベル５０９を配置して外部から目視可能としたが、これに限らない。開口部は二つではなく複数あってもよいし、複数の開口部から一つの機能ユニット３０に対するラベルを閲覧可能としても良い。また一つの機能ユニット３０を搭載した事例を説明したが複数の機能ユニットを搭載してもよい。
【００４１】
またレーザー光のような注意／警告ラベルに限らず、無線ＬＡＮ、無線通信機能、ＲＦＩＤの読み取り機能、などの電波を放出するものについて法律上表示が義務づけられているもの、法律上義務づけられていないが注意喚起として表示したい内容であってもよい。
【００４２】
通信部としてBluetooth（登録商標）のような近接無線通信を用いたが無線ＬＡＮのような無線通信であってもよいし、ユニットと端末とを電気的に接続する構造を備えて有線通信するようなものであってもよい。
【００４３】
ユニット収容部２０３，４０３は携帯端末収容部２０２，４０２の底面に配置された例に説明したが、機能ユニット３０の寸法や重量、ジャケット２００，４００の形状によっては携帯端末収容部２０２，４０２の周辺いずれかにあってもよい。
機能ユニット３０は防水を目的として充電池を内蔵する構成としたが、防水に拘らなければ携帯端末装置１０，２０と電気的に接続し動作するようにしてもよい。
【００４４】
ラベル５０９，６０９を貼り付ける筐体面やレーザー光出射部５０１、６０１はジャケット２００，４００側の開口に収容されるよう凸形状としたが、レーザー光の出射やラベルの露出ができればよいので平面形状であってもよいし、それ以外でもよい。
【００４５】
レーザースキャナユニット５００はジャケット２００、４００に覆われるように収容する例を示したが、ユニットの一部を露出するような構成として、ユニットの最大外形寸法に囚われない形状としてもよい。
【００４６】
なお、本発明のジャケット、機能ユニット、及び携帯端末装置は、前述した各実施形態に限定するものでなく、適宜な変形や改良等が可能である。
【符号の説明】
【００４７】
１０  携帯端末装置
２０  第二携帯端末装置
３０  機能ユニット
２００  ジャケット（付属装置）
４００  第二ジャケット（付属装置）
５００  レーザースキャナユニット
６００  レーザーポインタユニット
２０２，４０２  携帯端末収容部
２０３，４０３  ユニット収容部
２０６，４０６  レーザースキャナ用開口（ラベル目視用開口部）
２０７，４０７  レーザーポインタ用開口（ラベル目視用開口部）
２０８ａ，２０８ｂ，４０８ａ，４０８ｂ  ストラップケーブル用開口（ストラップ用開口部）
５０５，６０５  ネジ穴（固定構造）
５０６，６０６  係止溝（固定構造）
５０９，６０９  ラベル
５１３  製造ラベル（ラベル）
【図１】
2014044544.tif 000003
【図２】
2014044544.tif 000004
【図３】
2014044544.tif 000005
【図４】
2014044544.tif 000006
【図５】
2014044544.tif 000007
【図６】
2014044544.tif 000008
【図７】
2014044544.tif 000009
【図８】
2014044544.tif 000010
【図９】
2014044544.tif 000011
【図１０】
2014044544.tif 000012
【図１１】
2014044544.tif 000013